(57)【要約】【課題】扉のロックが掛かっていない状態のまま放置されるという問題を極力減らすことができるようにする。【解決手段】扉１５の前面に鍵孔が位置し後端側の回転軸４が扉１５の内面側に位置するように扉１５に取り付けられるシリンダー錠１と、このシリンダー錠１の後端側に突出する回転軸４に取り付けられる止め金具５とからなり、この止め金具５は回転軸４に取り付けられるベース部材８と、このベース部材８に軸９により枢結されるラッチ部材１０と、ベース部材８に対しラッチ部材１０を開く方向に付勢するためのコイルばね１１とからなり、前記ラッチ部材１０は扉１５により開閉されるボックス本体１４の開口部近傍に取り付けた受金１６との係止部１３が設けられており、この係止部１３はベース部材８との枢結部から延出される板部１３ａと、この板部１３ａの先端から傾斜状態で折れ曲がる傾斜板部１３ｂとからなる。【選択図】図８
2010007399.tif 000002
【特許請求の範囲】
【請求項１】
ボックス本体に縦方向の軸芯周りに回動自在に取り付けた扉のロック装置であって、扉の回転軸芯側とは反対側の端部近傍における扉の前面に鍵孔が位置し後端側の回転軸が扉の内面側に位置するように扉に取り付けられるシリンダー錠と、このシリンダー錠の後端側に突出する回転軸に取り付けられる止め金具とからなり、この止め金具は回転軸に取り付けられるベース部材と、このベース部材に軸により枢結されるラッチ部材と、ベース部材に対しラッチ部材を開く方向に付勢するためのばねとからなり、ラッチ部材にはベース部材との枢結部近傍においてベース部材との開き角度を制限するためにベース部材を当接させるストッパー部が設けられており、またラッチ部材はボックス本体の開口部近傍に取り付けた受金との係止部が設けられており、この係止部は先端が受金の内面に当接して係止する傾斜部を備え、扉が開かれた状態で鍵孔に差し込まれた鍵をロックする方向に回すことにより回転軸が回って止め金具はシリンダー錠の側方に位置してラッチ部材の係止部は受金側に向き、鍵を鍵孔から抜いた状態で扉を閉じる方向に押して回動させることにより傾斜部の先端が受金の先端を乗り越えて受金の内面に当接したロック状態で扉が閉じられるようにしたことを特徴とする扉のロック装置。
【発明の詳細な説明】
【技術分野】
【０００１】
本発明は、例えば遊技機、薬品棚、ロッカーなどに設けられる扉のロック装置に関するものである。
【背景技術】
【０００２】
従来のこの種扉のロック装置としては、例えば特許文献１に開示されているものが知られている。この特許文献１には扉を閉じた状態において錠を回すことにより錠の先端に取り付けられた止め金板がボックス本体に取り付けてある受金の内面に係止し、扉の閉鎖状態を保持するようにした構成が開示されている。
【特許文献１】実開平５−３０３７６号公報
【発明の開示】
【発明が解決しようとする課題】
【０００３】
この特許文献１に開示されている装置では、扉を完全に閉じた状態で錠を回して錠の先端の止め金板をボックス本体側の受金の内面に係止させるものであるが、扉を完全に閉じたつもり、つまり扉が僅かに開いている状態で錠を回すことが時々あり、その場合錠の先端の止め金板はボックス本体側の受金の外面側で回転し、受金の内面に係止していない状態となる。即ち、扉のロックが掛かっていない状態のまま放置される恐れがあるという課題があった。
【０００４】
本発明の目的は、このような課題を解決するものであり、扉のロック状態を扉を閉じる方向に手で押すことにより確認でき、扉のロックが掛かっていない状態のまま放置されるという問題を極力減らすことができるようにした扉のロック装置を提供することにある。
【課題を解決するための手段】
【０００５】
本発明の請求項１に記載の扉のロック装置は、ボックス本体に縦方向の軸芯周りに回動自在に取り付けた扉のロック装置であって、扉の回転軸芯側とは反対側の端部近傍における扉の前面に鍵孔が位置し後端側の回転軸が扉の内面側に位置するように扉に取り付けられるシリンダー錠と、このシリンダー錠の後端側に突出する回転軸に取り付けられる止め金具とからなり、この止め金具は回転軸に取り付けられるベース部材と、このベース部材に軸により枢結されるラッチ部材と、ベース部材に対しラッチ部材を開く方向に付勢するためのばねとからなり、ラッチ部材にはベース部材との枢結部近傍においてベース部材との開き角度を制限するためにベース部材を当接させるストッパー部が設けられており、またラッチ部材はボックス本体の開口部近傍に取り付けた受金との係止部が設けられており、この係止部は先端が受金の内面に当接して係止する傾斜部を備え、扉が開かれた状態で鍵孔に差し込まれた鍵をロックする方向に回すことにより回転軸が回って止め金具はシリンダー錠の側方に位置してラッチ部材の係止部は受金側に向き、鍵を鍵孔から抜いた状態で扉を閉じる方向に押して回動させることにより傾斜部の先端が受金の先端を乗り越えて受金の内面に当接したロック状態で扉が閉じられるようにしたことを特徴とする。
【発明の効果】
【０００６】
以上のように、本発明の扉のロック装置は、扉を閉じた状態でロックするときは、扉を開いた状態でシリンダー錠の回転軸を回して止め金具をシリンダー錠の側方に位置させるとともに鍵を鍵孔から抜き、かかる状態で扉を閉じる方向に回動させ、受金の先端にラッチ部材の係止部の傾斜部の先端が当接した後は扉を閉じる方向にやや強く押すことにより傾斜部の先端が受金の内面に当接したロック状態で扉が閉じられることになるのであって、受金の先端に傾斜部の先端が当接した後の押し込む際に傾斜部の先端が受金の先端を乗り越える際の感触により扉を閉じたロック状態を知ることができ、扉のロックが掛かっていない状態のまま放置されるという問題を極力減らすことができる。
【発明を実施するための最良の形態】
【０００７】
以下、本発明の一実施の形態を、図１〜図８を用いて具体的に説明する。
図において、１はシリンダー錠で、このシリンダー錠１は前端側の鍵孔２に鍵３を差し込んで回すことにより後端側に突出する回転軸４が鍵３を回す方向と同方向に９０度の範囲で正逆回転するようになっている。そして、シリンダー錠１は鍵孔２に対し鍵３が１箇所でのみしか抜き差しできない一点抜け型のシリンダー錠である。５はシリンダー錠１の後端側に突出する回転軸４に取り付けられる止め金具で、この止め金具５は回転軸４の差し込み孔６を有してこの差し込み孔６に回転軸４を差し込み、回転軸４の先端の雄ねじ部４ａにナット７を螺合させることにより取り付けられるベース部材８と、このベース部材８に軸９により枢結されるラッチ部材１０と、ベース部材８に対しラッチ部材１０を開く方向に付勢するために前記軸９に嵌められ一端側がベース部材８に当接し、他端側がラッチ部材１０に当接するコイルばね１１とからなり、ベース部材８に対する枢結部近傍においてラッチ部材１０にはベース部材８との開き角度を制限するためにベース部材８を当接させるストッパー部１２が設けられている。さらに詳しくは、ラッチ部材１０は後述するボックス本体側の受金との係止部１３が設けられている。この係止部１３はベース部材８との枢結部から延出される板部１３ａと、この板部１３ａの先端から傾斜状態で折れ曲がり先端がボックス本体側の受金の内面に当接する板部１３ｂとからなる。
【０００８】
図６〜図８にボックス本体１４に縦方向の軸芯周りに回動自在に取り付けた扉１５にこの扉１５の回転軸芯側とは反対側に上記構成のロック装置を装備した状態を示し、以下にロック装置の動作について説明する。
【０００９】
扉１５に対しロック装置のシリンダー錠１は扉１５の回転軸芯側とは反対側の端部近傍における扉１５の前面に鍵孔２が位置し後端側の回転軸４が扉１５の内面側に位置するように取り付けられる。そして、回転軸４に取り付けられた止め金具５は扉１５が開かれた状態、つまり扉１５がロックされていないときは図６に示すようにシリンダー錠１の上側（下側でも可）に位置しており、その状態で鍵孔２に差し込まれた鍵３をロックする方向に回すことにより回転軸４が回って止め金具５はシリンダー錠１の側方に位置する。そのとき、前記止め金具５のラッチ部材１０の係止部１３の板部１３ａならびに板部１３ｂはボックス本体１４の開口部近傍に取り付けた受金１６側に向くように位置しており、前記鍵３は鍵孔２から抜くことができるので、鍵３を鍵孔２から抜けば良い。かかる状態で扉１５を閉じる方向に押して回動させると、係止部１３の板部１３ｂの傾斜面が受金１６の先端に当たり且つラッチ部材１０はコイルばね１１の付勢力に抗してベース部材８に対し閉じる方向に軸９の周りで回動し、その途中で図７に示すように係止部１３の板部１３ｂの先端はボックス本体１４側の受金１６の先端に当接し、その状態から扉１５をさらに閉じる方向にやや強く押すと板部１３ｂの先端が受金１６の先端を乗り越えることになる。ラッチ部材１０は前述のようにベース部材８に対し開く方向にコイルばね１１によって付勢されており、板部１３ｂの先端が受金１６の先端を乗り越えると、コイルばね１１の付勢力によってラッチ部材１０はベース部材８に対し開く方向に回動し、板部１３ｂの先端が受金１６の内面に当接したロック状態で扉１５が閉じられることになる（図８参照）。
【００１０】
この扉１５が閉じたロック状態を解除して扉１５を開く場合は、前記シリンダー錠１の鍵孔２に鍵３を差し込み、鍵３をロックする方向とは逆方向に回すことにより板部１３ｂと受金１６とのロックが外れて止め金具５はシリンダー錠１の上側に位置し、扉１５を開くことができる。
【００１１】
以上のように扉１５を閉じた状態でロックするときは、扉１５を開いた状態で一点抜け型のシリンダー錠１から鍵３を抜き取り可能な状態に回転軸４を回して止め金具５をシリンダー錠１の側方に位置させるとともに鍵３を鍵孔２から抜き、かかる状態で扉１５を閉じる方向に押して回動させ、受金１６の先端に板部１３ｂの先端が当接した後は扉１５を閉じる方向にやや強く押すことにより板部１３ｂの先端が受金１６の内面に当接したロック状態で扉１５が閉じられることになるのであって、受金１６の先端に板部１３ｂの先端が当接した後の押し込む際に板部１３ｂの先端が受金１６の先端を乗り越える際の感触により扉１５を閉じたロック状態を知ることができる。
【００１２】
ところで、以上述べた実施の形態ではラッチ部材１０は板部１３ａの先端から板部１３ｂが傾斜状態で折れ曲がる係止部１３を持つように板材で作られているが、鋳造成型などで作られていて、係止部１３に板部１３ｂに相当する傾斜部を備えるようにしても良い。
【００１３】
また、以上述べた実施の形態ではシリンダー錠１は一点抜け型のシリンダー錠が用いられているが、一点抜け型シリンダー錠に限定されるものではない。
【図面の簡単な説明】
【００１４】
【図１】本発明の一実施の形態における扉のロック装置に使用される止め金具の分解斜視図である。
【図２】同止め金具を組み立てて一方向から見た斜視図である。
【図３】同止め金具を組み立てて他方向から見た斜視図である。
【図４】同組み立てられた止め金具をシリンダー錠に結合させて一方向から見た斜視図である。
【図５】同組み立てられた止め金具をシリンダー錠に結合させて他方向から見た斜視図である。
【図６】同止め金具を結合させたシリンダー錠をボックス本体を閉じる扉に取り付け扉が開かれている状態を示す一部切り欠き平面図である。
【図７】同止め金具を結合させたシリンダー錠をボックス本体を閉じる扉に取り付け扉が閉じる直前の状態を示す一部切り欠き平面図である。
【図８】同止め金具を結合させたシリンダー錠をボックス本体を閉じる扉に取り付け扉が閉じた状態を示す一部切り欠き平面図である。
【符号の説明】
【００１５】
１              シリンダー錠
２              鍵孔
３              鍵
４              回転軸
４ａ            雄ねじ部
５              止め金具
６              差し込み孔
７              ナット
８              ベース部材
９              軸
１０              ラッチ部材
１１              コイルばね
１２              ストッパー部
１３              係止部
１３ａ，１３ｂ    板部
１４              ボックス本体
１５              扉
１６              受金
【図１】
2010007399.tif 000003
【図２】
2010007399.tif 000004
【図３】
2010007399.tif 000005
【図４】
2010007399.tif 000006
【図５】
2010007399.tif 000007
【図６】
2010007399.tif 000008
【図７】
2010007399.tif 000009
【図８】
2010007399.tif 000010